(57)【要約】【課題】選別網の詰まりによる選別効率の低下、メンテナンスが面倒であること。【解決手段】扱胴２１の下側に扱網２２を設けて脱穀室２０を形成し、該脱穀室２０の下方に唐箕２３からの送風により風選する風選室２５を設け、該風選室２５に往復揺動する揺動選別棚２６を設け、該揺動選別棚２６には、穀粒と藁屑とを選別するフィン４２を揺動方向に複数並設したシーブ２９を設け、揺動選別棚２６の下方所定位置に一番コンベア３０を設け、一番コンベア３０の後側に二番コンベア３１を設け、二番コンベア３１により回収した二番物を揚穀する二番昇降機３３に、前記シーブ２９の所定位置上方に二番物を還元する二番還元装置３５の基部を接続し、二番還元装置３５の二番還元口３６を開口させた部分の下方のシーブ２９には該シーブ２９に付着した付着物を除去するスクレーパ４０を設けた脱穀装置。【選択図】図２
2016101112.tif 000002
【特許請求の範囲】
【請求項１】
扱胴（２１）の下側に扱網（２２）を設けて脱穀室（２０）を形成し、該脱穀室（２０）の下方に唐箕（２３）からの送風により風選する風選室（２５）を設け、該風選室（２５）に往復揺動する揺動選別棚（２６）を設け、該揺動選別棚（２６）には、穀粒と藁屑とを選別するフィン（４２）を揺動方向に複数並設したシーブ（２９）を設け、揺動選別棚（２６）の下方所定位置に一番コンベア（３０）を設け、一番コンベア（３０）の後側に二番コンベア（３１）を設け、二番コンベア（３１）により回収した二番物を揚穀する二番昇降機（３３）に、前記シーブ（２９）の所定位置上方に二番物を還元する二番還元装置（３５）の基部を接続し、二番還元装置（３５）の二番還元口（３６）を開口させた部分の下方のシーブ（２９）には該シーブ（２９）に付着した付着物を除去するスクレーパ（４０）を設けた脱穀装置。
【請求項２】
請求項１記載の発明において、前記スクレーパ（４０）の上方部分の脱穀室（２０）内には脱穀室（２０）内に突出して被処理物を切断する切刃（５０）を設けた脱穀装置。
【請求項３】
請求項１または請求項２記載の発明において、前記扱網（２２）は、左右および前後に複数かつ偶数となるように分割した分割網材（６０）を並設して構成し、各分割網材（６０）は網材（６１）の前後に網材（６１）の内面と同じ高さに形成した枠板（６２）を設けて構成し、並設した複数の分割網材（６０）のうちの所定の分割網材（６０）の枠板（６２）には、内側端面が網材（６１）の内側面より内側に突き出る抵抗板（６３）を着脱自在に取付ける構成とした脱穀装置。
【請求項４】
請求項３記載の発明において、前記分割網材（６０）は前後左右の４枚並設して前記扱網（２２）を構成し、複数の分割網材（６０）のうち、脱穀室（２０）の後部に設けた左右の分割網材（６０）の前端部および後端部に前記抵抗板（６３）を設けた脱穀装置。
【発明の詳細な説明】
【技術分野】
【０００１】
本発明は、脱穀装置に係るものである。
【背景技術】
【０００２】
従来、脱穀室の下方に揺動選別装置を設け、揺動選別棚には、脱穀室からの落下物から穀粒を選別するシーブを設け、シーブに付着した藁屑を除去する清掃手段を設けた構成は、公知である（特許文献１参照）。
【先行技術文献】
【特許文献】
【０００３】
【特許文献１】特開２０１１−２２９４３１号公報
【発明の概要】
【発明が解決しようとする課題】
【０００４】
前記公知例では、揺動選別棚のシーブ上に、脱穀室で脱穀処理された被処理物と二番コンベアで戻された二番還元物とが合流して供給されるので、スクレーパによりシーブに付着した付着物を除去しても、詰まりが生じる課題があり、その結果、一番回収部での回収効率が低下するという課題がある。
本願は、脱穀室と二番還元装置と揺動選別棚との配置を工夫して、穀粒の選別効率を高めたものである。
【課題を解決するための手段】
【０００５】
請求項１記載の発明は、扱胴２１の下側に扱網２２を設けて脱穀室２０を形成し、該脱穀室２０の下方に唐箕２３からの送風により風選する風選室２５を設け、該風選室２５に往復揺動する揺動選別棚２６を設け、該揺動選別棚２６には、穀粒と藁屑とを選別するフィン４２を揺動方向に複数並設したシーブ２９を設け、揺動選別棚２６の下方所定位置に一番コンベア３０を設け、一番コンベア３０の後側に二番コンベア３１を設け、二番コンベア３１により回収した二番物を揚穀する二番昇降機３３に、前記シーブ２９の所定位置上方に二番物を還元する二番還元装置３５の基部を接続し、二番還元装置３５の二番還元口３６を開口させた部分の下方のシーブ２９には該シーブ２９に付着した付着物を除去するスクレーパ４０を設けた脱穀装置としたものであり、脱穀装置３に供給された穀稈は、脱穀室２０内にて回転する扱胴２１により脱穀処理され、穀粒を含む被処理物は扱網２２より下方に落下し、唐箕２３からの送風と揺動選別棚２６の揺動により穀粒と異物とを風選室２５にて風選され、二番物は二番コンベア３１と二番昇降機３３と二番還元装置３５により揺動選別棚２６の所定のシーブ２９の上方に戻されて、再度選別処理される。
また、揺動選別棚２６のシーブ２９では脱穀処理物に二番物被処理物が加わって量が多くなってシーブ２９に付着物が付着するが、シーブ２９のスクレーパ４０が移動して付着物を除去する。
請求項２記載の発明は、前記スクレーパ４０の上方部分の脱穀室２０内には脱穀室２０内に突出して被処理物を切断する切刃５０を設けた脱穀装置としたものであり、スクレーパ４０の上方部分の脱穀室２０内には脱穀室２０内に突出する切刃５０が被処理物を切断し、これらを扱胴２１が回転して脱穀処理する。
請求項３記載の発明は、前記扱網２２は、左右および前後に複数かつ偶数となるように分割した分割網材６０を並設して構成し、各分割網材６０は網材６１の前後に網材６１の内面と同じ高さに形成した枠板６２を設けて構成し、並設した複数の分割網材６０のうちの所定の分割網材６０の枠板６２には、内側端面が網材６１の内側面より内側に突き出る抵抗板６３を着脱自在に取付ける構成とした脱穀装置としたものであり、左右および前後に複数かつ偶数となるように分割した分割網材６０を、例えば、左右に２枚、前後に２枚計４枚の分割網材６０を並設して扱網２２を取付け、あるいは、前後に３枚並べて計６枚の分割網材６０を並設して扱網２２を取付けたり、扱胴２１の長さに応じて扱網２２の長さを変更して取付ける。
このとき、網材６１の前後に網材６１の内面と同じ高さに形成した枠板６２を設けて構成した分割網材６０を、複数並設する際に、分割網材６０のうちの所定の分割網材６０の枠板６２には、内側端面が網材６１の内側面より内側に突き出る抵抗板６３を着脱自在に取付ける。
請求項４記載の発明は、前記分割網材６０は前後左右の４枚並設して前記扱網２２を構成し、複数の分割網材６０のうち、脱穀室２０の後部に設けた左右の分割網材６０の前端部および後端部に前記抵抗板６３を設けた脱穀装置としたものであり、分割網材６０を前後左右の４枚並設して場合、複数の分割網材６０のうち、脱穀室２０の後部に設けた左右の分割網材６０の前端部および後端部の枠板６２に抵抗板６３を取付ける。
【発明の効果】
【０００６】
請求項１記載の発明では、二番還元装置３５の二番還元口３６の下方にある特定のシーブ２９の付着物をスクレーパ４０が除去するので、選別効率の低下を抑制できる。
請求項２記載の発明では、切刃５０を設けることにより脱穀室２０内の脱穀処理効率を向上させると共に、スクレーパ４０により切刃５０が切断した被処理物に起因する選別効率の低下を抑制できる。
請求項３記載の発明では、複数の分割網材６０を並設することにより、脱穀装置３に適した扱網２２の構成を簡単にできると共に、扱網２２の長さに応じて被処理物の移送を抵抗板６３により制御して脱穀効率を向上させることができる。
請求項４記載の発明では、脱穀室２０の前部では、枠板６２による移送抵抗を抑制し、脱穀室２０の後部では枠板６２に抵抗板６３を取付けて移送抵抗の付与することで、脱穀室２０への被処理物の取込と扱ぎ残しの防止して、脱穀効率を向上させることができる。
【図面の簡単な説明】
【０００７】
【図１】コンバインの側面図。
【図２】脱穀装置の縦断側面図。
【図３】揺動選別棚の平面図。
【図４】スクレーパ部分の背面図。
【図５】他の実施形態の脱穀装置の縦断側面図。
【図６】二番還元装置を省略した脱穀装置の縦断側面図。
【図７】扱網の展開状態の平面図。
【図８】分割網材の背面図。
【図９】扱網の配置概略図。
【図１０】揺動選別装置の他の実施形態の側面図。
【図１１】シーブ傾斜角度調節アームの側面図および背面図。
【発明を実施するための形態】
【０００８】
本発明の一実施例をコンバインの例にて図面により説明すると、１はコンバインの機体フレーム、２は走行装置、３は機体フレーム１の上方に設けた脱穀装置、４は脱穀装置３の前側に設けた刈取装置、５は脱穀装置３の側部に設けたグレンタンク、６はグレンタンク５の前方に設けた操縦部である。
刈取装置４は、所謂穀稈の穂先側を刈り取り、刈り取った穀稈を脱穀装置３に供給する全稈投入型の脱穀装置３に対応させた汎用型に構成し、左右側板７と、後述するオーガー８の下方に位置する底板９と、左右の側板７と底板９とを連結するように設けた後板１０により構成したテーブル１１に、リール１２と、刈刃１３と前記オーガー８を設けて構成し、テーブル１１には搬送エレベーター１４の先端を取付け、搬送エレベーター１４の基部は脱穀装置３の脱穀室２０に接続する。
脱穀室２０に軸装した扱胴２１の主として下方側は扱網２２により包囲する。本願の脱穀装置３は全稈投入型であり、扱胴２１は脱穀装置３の全長と略同じように長く形成し、扱網２２の始端部下方には唐箕２３の唐箕ケーシング２４を設ける。前記脱穀室２０の下方には前記唐箕２３の送風により穀粒と異物とを風選し得る風選室２５を形成し、風選室２５内には唐箕２３の送風方向（前後方向）に往復揺動する揺動選別棚２６により構成した揺動選別装置２７を設ける。
【０００９】
揺動選別装置２７は、その揺動選別棚２６の始端部（前端部）を唐箕ケーシング２４の上方に位置させて移送棚部２８に形成する。移送棚部２８の構成は任意であり、移送方向下手側を低く傾斜させたり、あるいは、移送棚部２８の上面に突起や凹凸を設けて、揺動選別装置２７の移送方向下手側のシーブ（グレンシーブ）２９に向けて扱網２２からの落下物を移送できればよい。
３０は揺動選別棚２６の下方所定位置に設けた一番コンベア、３１は一番コンベア一番コンベア３０の後側に設けた二番コンベア、３４は一番昇降機である。
二番コンベア３１の終端には、二番昇降機３３を設け、二番昇降機３３の上部排出口（図示省略）は二番還元装置３５の始端部に接続する。二番還元装置３５の構成は任意であり、受樋３７上に搬送螺旋３８を設け、搬送螺旋３８は脱穀室２０の前側に向けて還元物を搬送する構成としている。
【００１０】
二番還元装置３５の終端の二番還元口３６は揺動選別棚２６の所定のシーブ２９の上方に開口させ、二番還元口３６の下方のシーブ２９（始端側シーブ２９Ａ）には、スクレーパ４０を設ける。
スクレーパ４０は、シーブ２９に付着した付着物を除去するものであり、その構成は任意であるが、以下、一例を示す。
スクレーパ４０は、摺接部材４１を有して構成し、摺接部材４１はシーブ２９のフィン４２と直交させて、左右方向に複数並設して構成する。各摺接部材４１には前記フィン４２の断面形状に合わせた透孔（図示省略）を複数形成し、各透孔に各フィン４２を挿通して取付ける。
そのため、摺接部材４１は移動する際にフィン４２の上下両面の付着物を除去する。
【００１１】
即ち、蕎麦や豆類など葉が多く湿材作物はシーブ２９に付着し、各フィン４２間の隙間を塞ぐが、摺接部材４１によりフィン４２の上下両面の付着物の除去も可能となって、各フィン４２間の隙間を確保して、穀粒の落下を円滑にさせて、穀粒の回収効率を向上させ、湿材適応性を向上させられる。
前記スクレーパ４０の摺接部材４１は、透孔の上下の内周面によりフィン４２の付着物を除去するが、摺接部材４１にはフィン４２の付着物を除去するエッジ部４３を設けると、一層、付着物を除去性能を向上させられる。エッジ部４３の形状の構成は任意であるが、フィン４２の付着物に対して斜めに当接するように構成する。例えば、エッジ部４３は、平面視および正面視において略三角形状を呈し、正面視において左右中央位置が最も高く、左右側方に至るに従い低くなる傾斜面４４を有して形成している。
【００１２】
そのため、摺接部材４１によりフィン４２の付着物を除去する際に、摺接部材４１のエッジ部４３の傾斜面４４がフィン４２の付着物に斜めに接触し、接触抵抗を減少させて付着物の除去を効率よく、円滑に行う。
前記スクレーパ４０の摺接部材４１は、揺動選別棚２６の揺動方向に対する交差方向に往復移動する構成とする。
スクレーパ４０の移動構成は任意であるが、複数並設したスクレーパ４０の下部の螺合部４４に螺子軸４５を螺合させ、螺子軸４５の正逆回転によりスクレーパ４０を左右に往復移動させる。４６は螺子軸４５を回転させる正逆転モータである。
また、二番還元装置３５の終端の二番還元口３６は、唐箕ケーシング２４の後部上方に開口させ、二番還元口３６の下方のシーブ２９に前記スクレーパ４０を設ける。
【００１３】
即ち、例えば、シーブ２９は、始端側シーブ２９Ａと中間シーブ２９Ｂと終端側シーブ２９Ｃと順に並設した場合、唐箕ケーシング２４の上方付近のシーブ２９（始端側シーブ２９Ａ）への送風が弱くなり、付着物が多くなる傾向があり、全てのシーブ２９にスクレーパ４０を設けることは可能であるが、コンバインの製造コストの上昇を招くので、二番還元口３６の下方のシーブ２９（始端側シーブ２９Ａ）にスクレーパ４０を設けることで、脱穀効率の低下の抑制と製造コスト削減との両立化を図っている。
また、スクレーパ４０の上方部分の脱穀室２０内には脱穀室２０内に突出して被処理物を切断する切刃５０を設ける（図５）。
切刃５０は、脱穀室２０内の脱穀被処理物を切断して脱穀効率を向上させるが、切断した藁屑や大豆の茎、あるいは、つる状となった小豆の茎は、シーブ２９に付着し、選別不良の原因となっていたが、スクレーパ４０によりシーブ２９の付着物を除去し、目詰まりを抑制し、選別を良好にする。
【００１４】
なお、図５，図６では、理解を容易にするため、二番還元装置３５の図示を省略しているが、もちろん、二番還元装置３５を設けてもよい。
また、脱穀室２０と扱胴２１とは、脱穀室２０内の被処理物を扱胴２１の軸方向に移送して処理する所謂軸流型とし（図２，図５，図６）、扱胴２１の前半部分の下方のシーブ２９にスクレーパ４０を設ける。
軸流型扱胴２１では前半部分の被処理物の水分が多くなるので、この部分にスクレーパ４０を設け、付着物の除去効率を向上させて、目詰まりを抑制し、選別を良好にする。
唐箕ケーシング２４の送風口５３には、この送風口５３の上壁となる上面板５４と、上面板５４の下側に配置される風向板５５とを設け（図２）、前記上面板５４は唐箕２３の選別風の上流側端部で軸支し、風向板５５は送風方向の中間部位で軸支する。
上面板５４と風向板５５を傾斜角度切替自在に設ける。
【００１５】
上面板５４と風向板５５とは、揺動選別棚２６上の被処理物が多いほど、後向き（水平に近く）に傾斜を調節する。
また、揺動選別棚２６上の被処理物が少ないときほど、上向き（縦方向に近く）に傾斜を調節する。
唐箕ケーシング２４の送風口５３からの送風が吹き抜ける揺動選別棚２６の所定部位には、篩（ふるい）線５６を設け、この篩線５６を上面板５４と風向板５５を傾斜角度の切替えに連動させる構成とする（図２）。
風向板５５が上向きに切り替わると、篩線５６も上向きとし、揺動選別棚２６上を移動する被処理物に移動抵抗を掛けると同時に風向板５５により風向きを上向きにして被処理物の選別を良好にする。
また、図６に示したように、唐箕ケーシング２４の前側所定位置にはプレファン５７を設け、プレファン５７からの送風と唐箕２３による送風口５３からの送風が合流する付近に篩線５６を設ける。
【００１６】
プレファン５７と唐箕２３との送風が合流する位置に篩線５６を設けることにより、大きな落下物（被処理物）や湿った被処理物の風選効果を高められる。
扱胴２１の下方側に設ける扱網２２は、左右および前後に複数かつ偶数となるように分割して形成し、分割した分割網材６０は網材６１の前後に枠板６２を設けて構成する。
枠板６２は縦板状に形成し、枠板６２の端面を網材６１の内面と同じ高さに形成する。所定の枠板６２には内側端面が網材６１の内側面より内側に突き出る抵抗板６３を着脱自在に取付ける。抵抗板６３は、穀稈の品種や対象作物により選択して取付使用する。
そのため、脱粒性の良い被処理物では、単独の枠板６２を有する分割網材６０を装着して枠板６２の端面と網材６１の内面と同じ高さとし、一方、脱粒性の低い被処理物では、枠板６２の側面に抵抗板６３を取付けて抵抗板６３の端面が網材６１の内面より内側に突き出るようにして被処理物の移動に抵抗を与えて脱穀時間を長くし、処理精度を向上させる。
【００１７】
抵抗板６３の配置は、一例を示すと、前後左右に並設した分割網材６０に対して抵抗板６３は脱穀室２０の前後方向の中間部と後端部に夫々設ける。
そのため、脱穀室２０の中間部の抵抗板６３により被処理物の移送に抵抗を与えて、穀粒が二番還元に回って選別処理負荷が増えることを抑制し、また、後端部に抵抗板６３を設けることにより、扱ぎ残しの被処理物がそのまま機外排出されてロスになるのを抑制する。
扱網２２（各分割網材６０）には、被処理物の移送方向に対して交差方向の仕切金６５を単数または複数設ける。
そのため、仕切金６５により被処理物の移動に抵抗を与えて脱穀時間を長くし、処理精度を向上させる。
【００１８】
なお、抵抗板６３と仕切金６５は、どちらも、脱穀室２０内に突き出て被処理物の移送に抵抗を付与する点において同じであるが、仕切金６５の方がより内側に突出するので、脱粒性の悪い被処理物の場合に、仕切金６５を追加して、被処理物の移動に抵抗を与えて脱穀時間を長くし、処理精度を向上させる。
また、図７は、単体の分割網材６０を示し、この単体の分割網材６０の前後中間部に抵抗板６３と仕切金６５を予め設けて、この単体の分割網材６０または前後左右に複数並設して扱網２２として構成してもよい。
仕切金６５と別途設けたＬ型部材６６により抵抗板６３を挾持する構成とする。
そのため、仕切金６５の着脱が簡単に行え、確実な取付ができる。
図７は、単独の分割網材６０を示し、図９の例では、枠板６２の端面を網材６１の内面と同じ高さの分割網材６０を前方の左右側に２枚配置し、網材６１の内面より内側に突き出る抵抗板６３を後方の左右側に２枚配置している。
【００１９】
そのため、後方の左右側に２枚の分割網材６０に、抵抗板６３を取付けるだけで枠板６２（抵抗板６３）の高さを変更でき、扱網２２上の被処理物の移送程度（移動時間・移動速度）の調整が容易となる。
図１０，１１は、揺動選別棚２６のシーブ２９を示し、シーブ２９は傾斜角度調節自在に揺動選別棚２６に取付け、各シーブ２９には連動用プレート７０を取付けると共に、所定のシーブ２９には傾斜角度調節アーム７１を取付け、傾斜角度調節アーム７１に前記連動用プレート７０との干渉防止用の逃げ凹部７２を設ける。
そのため、傾斜角度調節アーム７１の取付スペースを小さくしても、連動用プレート７０との干渉を防止でき、その結果、傾斜角度調節アーム７１の回動半を大きくできて、シーブ２９は傾斜角度調節範囲を広くできる。
【００２０】
（実施形態の作用）
本発明は、上記構成であり、走行装置２により機体を走行させて、刈取装置４により圃場の穀稈を刈り取り、刈り取った穀稈を脱穀装置３に供給する。
脱穀装置３では、脱穀室２０内にて回転する扱胴２１により穀稈から穀粒を脱粒させ、穀粒を含む被処理物は扱網２２より下方に落下し、唐箕２３からの送風と揺動選別棚２６の揺動により穀粒と異物とを風選室２５にて風選する。
揺動選別棚２６における揺動選別は、シーブ２９上を揺動しながら終端に向けて移送される被処理物に、シーブ２９の下側から吹き抜ける選別風を当てて、重い穀粒はシーブ２９の隙間から下方に落下させ、軽い藁屑等は後方に移送する。
また、二番コンベア３１の終端に設けた二番昇降機３３の上部排出口３４を二番還元装置３５の始端部に接続し、二番還元装置３５の終端の二番還元口３６は揺動選別棚２６の所定のシーブ２９の上方に開口させているので、二番還元口３６の下方ではシーブ２９上の被処理物の量が多くなることから、シーブ２９に付着物が付着すると、前後のシーブ２９の隙間を狭くするので、穀粒の落下効率が低下して、選別精度が低下させる。
【００２１】
本発明では、二番還元口３６の下方のシーブ２９にはスクレーパ４０を設けているので、スクレーパ４０の摺接部材４１が移動する際にシーブ２９のフィン４２の上下両面の付着物を除去するので、二番還元口３６の下方で被処理物の量が多くなっても、シーブ２９の各フィン４２に付着した付着物をスクレーパ４０の摺接部材４１により除去することにより、各フィン４２間の隙間を確保して、穀粒の落下を円滑にさせて、穀粒の回収効率を向上させる。
また、被処理物が湿っていると、シーブ２９への付着量が増加する傾向となるが、湿った被処理物により付着物も、スクレーパ４０の摺接部材４１により除去することにより、各フィン４２間の隙間を確保して、穀粒の落下を円滑にさせて、穀粒の回収効率を向上させ、湿材適応性を向上させられる。
【００２２】
スクレーパ４０の構成は任意であるが、本願のスクレーパ４０は、摺接部材４１を有して構成し、摺接部材４１はシーブ２９のフィン４２と直交させて、左右方向に複数並設し、各摺接部材４１には前記フィン４２の断面形状に合わせた透孔（図示省略）を複数形成し、各透孔に各フィン４２を挿通して取付け、摺接部材４１は、揺動選別棚２６の揺動方向に対する交差方向に往復移動する構成としているので、摺接部材４１の透孔の内周面がシーブ２９のフィン４２の上下両面に摺接して付着物を除去する。
スクレーパ４０の上方部分の脱穀室２０内には脱穀室２０内に突出して被処理物を切断する切刃５０を設けているので、切刃５０が脱穀室２０内の脱穀被処理物を切断して脱穀効率を向上させ、切断した藁屑や大豆の茎、あるいは、つる状となった小豆の茎がシーブ２９に付着するのをスクレーパ４０が除去し、目詰まりを抑制し、選別を良好にする。
【００２３】
即ち、切刃５０の下方のシーブ２９に、切刃５０により切断された被処理物が多く落下するので、この被処理物の付着をスクレーパ４０が除去して抑制して、目詰まりを抑制し、選別を良好にする。
扱胴２１の下方側に設ける扱網２２は、左右および前後に複数かつ偶数となるように分割して形成し、分割した分割網材６０は網材６１の前後に枠板６２を設けて構成し、枠板６２は縦板状に形成し、枠板６２の端面を網材６１の内面と同じ高さに形成する。所定の枠板６２には内側端面が網材６１の内側面より内側に突き出る抵抗板６３を着脱自在に取付けて枠板６２の高さを変更自在とし、穀稈の品種や対象作物により選択して取付使用するので、脱粒性の良い被処理物では、単独の枠板６２を取付けて枠板６２の端面と網材６１の内面と同じ高さとし、一方、脱粒性の低い被処理物では、枠板６２の側面に抵抗板６３を取付けて（枠板６２の端面高さを高くし）、抵抗板６３の端面が網材６１の内面より内側に突き出るようにして被処理物の移動に抵抗を与えて脱穀時間を長くし、処理精度を向上させる。
【００２４】
抵抗板６３の配置は、一例を示すと、抵抗板６３は脱穀室２０の前後方向の中間部と後端部に夫々設けているので、脱穀室２０の前部では、枠板６２による移送抵抗を抑制し、脱穀室２０の後部では枠板６２に抵抗板６３を取付けて移送抵抗の付与することで、脱穀室２０への被処理物の取込と扱ぎ残しの防止して、脱穀効率を向上させることができる。
扱網２２には、被処理物の移送方向に対して交差方向の仕切金６５を単数または複数設けているので、仕切金６５により被処理物の移動に抵抗を与えて脱穀時間を長くし、処理精度を向上させる。
仕切金６５と別途設けたＬ型部材６６により抵抗板６３を挾持する構成としているので、仕切金６５の着脱が簡単に行え、確実な取付ができる。
【００２５】
図９の例では、枠板６２の端面を網材６１の内面と同じ高さの分割網材６０を前方の左右側に２枚配置し、網材６１の内面より内側に突き出る抵抗板６３を後方の左右側の２枚の枠板６２に取付けて配置しているので、後方の左右側に２枚の分割網材６０に、抵抗板６３を取付けるだけで枠板６２（抵抗板６３）の高さを変更でき、扱網２２の調整が容易となる。
なお、前記した各実施形態は、理解を容易にするために、個別または混在させて図示および説明しているが、これらの実施形態は夫々種々組合せ可能であり、これらの表現によって、構成・作用等が限定されるものではなく、また、相乗効果を奏する場合も勿論存在する。
【符号の説明】
【００２６】
１…機体フレーム、２…走行装置、３…脱穀装置、４…刈取装置、５…グレンタンク、６…操縦部、７…側板、８…オーガー、９…底板、１０…後板、１１…テーブル、１２…リール、１３…刈刃、１４…搬送エレベーター、２０…脱穀室、２１…扱胴、２２…扱網、２３…唐箕、２４…唐箕ケーシング、２５…風選室、２６…揺動選別棚、２７…揺動選別装置、２８…移送棚部、２９…シーブ、３０…一番コンベア、３１…二番コンベア、３３…二番昇降機、３４…一番昇降機、３５…二番還元装置、３６…二番還元口、４０…スクレーパ、４１…摺接部材、４２…フィン、４３…エッジ部、５０…切刃、５３…送風口、５４…上面板、５５…風向板、５６…篩線、５７…プレファン、６０…分割網材、６１…網材、６２…枠板、６３…抵抗板、６５…仕切金、６６…Ｌ型部材、７０…連動用プレート、７１…傾斜角度調節アーム、７２…逃げ凹部。
【図１】
2016101112.tif 000003
【図２】
2016101112.tif 000004
【図３】
2016101112.tif 000005
【図４】
2016101112.tif 000006
【図５】
2016101112.tif 000007
【図６】
2016101112.tif 000008
【図７】
2016101112.tif 000009
【図８】
2016101112.tif 000010
【図９】
2016101112.tif 000011
【図１０】
2016101112.tif 000012
【図１１】
2016101112.tif 000013